(57)【要約】      （修正有）【課題】ネジを用いずに、カメラの筐体の内壁面にスピーカを固定する。【解決手段】デジタルカメラ１０の筐体１２内に、回路基板４０及びＬＣＤ２４が取り付けられる構造フレーム板４２を設ける。筐体１２の内壁面１６ｂに、スピーカ３６を位置決めする位置決め部４９を形成する。この位置決め部４９の嵌合穴４９ａに、スピーカ３６の前面の凸部を嵌合させる。構造フレーム板４２に板バネ５０を一体形成する。板バネ５０によりスピーカ３６の背面を押圧して、スピーカ３６を内壁面１６ｂに押し付けて固定する。スピーカ３６の固定にネジが不要になるため、ネジを用いずにスピーカ３６を内壁面１６ｂに固定することができる。【選択図】図４
2008135961.tif 000002
【特許請求の範囲】
【請求項１】
電子機器の筐体の内壁面にスピーカを固定するスピーカの固定構造において、
前記筐体内に設けられ、前記筐体に内蔵される内蔵部品が取り付けられる構造フレーム板と、
前記構造フレーム板に一体に形成され、前記内壁面のスピーカ固定位置に当接している前記スピーカの背面を押圧し、この押圧により前記スピーカを前記内壁面に押し付けて固定する板バネとを備えることを特徴とするスピーカの固定構造。
【請求項２】
前記内蔵部品は、前記構造フレーム板に略平行に取り付けられ、前記構造フレーム板に対向する面にグランド端子が形成されている回路基板であり、
前記構造フレーム板及び前記板バネは、導電性材料で形成されるとともに、前記構造フレーム板には、前記グランド端子に当接する接点端子部が一体に形成されており、
前記スピーカは、前記板バネ、前記構造フレーム板、及び前記接点端子部を介して前記グランド端子に接地されていることを特徴とする請求項１記載のスピーカの固定構造。
【請求項３】
前記接点端子部は、前記構造フレーム板の前記グランド端子に対向する部分を切り起こして形成されていることを特徴とする請求項２記載のスピーカの固定構造。
【請求項４】
前記電子機器は、デジタルカメラであることを特徴とする請求項１ないし３いずれか１項記載のスピーカの固定構造。
【発明の詳細な説明】
【技術分野】
【０００１】
本発明は、筐体の内壁面にスピーカを固定するスピーカの固定構造に関するものである。
【背景技術】
【０００２】
近年、デジタルカメラとして、静止画撮影機能と、動画撮影機能と、動画とともに音声を記録できる音声記録機能とを備えているものが普及している。このようなデジタルカメラの筐体（カメラ本体）には、記録された音声を再生するためのスピーカが内蔵されている。スピーカは、各種制御回路が実装された回路基板にリード線などで接続されている。回路基板には、スピーカを駆動するスピーカ駆動回路が実装されており、このスピーカ駆動回路が音声データに基づきスピーカを駆動することで、音声が再生される。
【０００３】
これら筐体内に内蔵される回路基板やスピーカなどのうち、回路基板は筐体内に固定されている構造フレーム板に取り付けられる。これに対して、スピーカは、そのカバーフレームを筐体の内壁面にネジ止めすることで、筐体の内壁面に固定される（例えば特許文献１参照）。また、ネジ止めする代わりにスピーカ自体にバネ構造を持たせることで、そのバネ力によりスピーカを筐体の内壁面に押し付けて固定する方法も知られている（例えば特許文献２参照）。
【特許文献１】特開２０００−３０８１７０号公報
【特許文献２】特開２００５−２８６８７４号公報
【発明の開示】
【発明が解決しようとする課題】
【０００４】
ところで、上記特許文献１記載の方法では、スピーカを固定するためにカバーフレームやネジなどが必要になるのに加えて、ネジ止めの作業が必要になる。その結果、部品数及び組立工程数が増えてしまうため、製造コストが高くなるという問題がある。また、上記特許文献２記載の方法では、ネジやネジ止めの作業は不要となるが、スピーカ自体にバネ構造を持たせる必要がある。このため、汎用のスピーカを使用して製造コストを抑えることができないという問題がある。
【０００５】
本発明は上記問題を解決するためになされたものであり、部品数を増やすことなく汎用のスピーカを筐体の内壁面に固定可能にするスピーカの固定構造を提供することを目的とする。
【課題を解決するための手段】
【０００６】
本発明は、電子機器の筐体の内壁面にスピーカを固定するスピーカの固定構造において、前記筐体内に設けられ、前記筐体に内蔵される内蔵部品が取り付けられる構造フレーム板と、前記構造フレーム板に一体に形成され、前記内壁面のスピーカ固定位置に当接している前記スピーカの背面を押圧し、この押圧により前記スピーカを前記内壁面に押し付けて固定する板バネとを備えることを特徴とする。
【０００７】
前記内蔵部品は、前記構造フレーム板に略平行に取り付けられ、前記構造フレーム板に対向する面にグランド端子が形成されている回路基板であり、前記構造フレーム板及び前記板バネは、導電性材料で形成されるとともに、前記構造フレーム板には、前記グランド端子に当接する接点端子部が一体に形成されており、前記スピーカは、前記板バネ、前記構造フレーム板、及び前記接点端子部を介して前記グランド端子に接地されていることが好ましい。
【０００８】
前記接点端子部は、前記構造フレーム板の前記グランド端子に対向する部分を切り起こして形成されていることが好ましい。また、前記電子機器は、デジタルカメラであることが好ましい。
【発明の効果】
【０００９】
本発明は、構造フレームに一体に形成された板バネにより、スピーカを筐体の内壁面に押し付けて固定するようにしたので、このスピーカを固定する際にネジやネジ止め作業が不要になる。その結果、従来よりも電子機器の部品数及び組立工程数を減らすことができるので、電子機器の製造コストを抑えることができる。また、構造フレームに板バネを一体形成する場合には、スピーカの形状に合わせて板バネの形状や形成位置を変えることができる。その結果、どのような形状のスピーカでも固定することができる。これにより、汎用スピーカを用いることができるので、電子機器の製造コストを抑えることができる。
【００１０】
また、板バネ、構造フレーム板、及び接点端子部を介して、スピーカを回路基板のグランド端子に接地させるようにしたので、スピーカからリード線等を介して回路基板に静電気が流れて、回路基板に実装されている電子部品が故障或いは誤作動することが防止される。さらに、スピーカを接地させるための接地部材を別途設ける必要が無くなるため、同様に電子機器の部品数及び組立工程数を減らすことができる。
【００１１】
また、構造フレーム板の一部を切り起こして接点端子部を形成するようにしたので、新たな接点端子を設けることなく、スピーカ及び構造フレーム板を回路基板に接地させることができる。同様に電子機器の部品数及び組立工程数を減らすことができる。
【発明を実施するための最良の形態】
【００１２】
図１及び図２に示すように、本発明を実施したデジタルカメラ１０の筐体（カメラ本体）１２は、前面カバー１４と背面カバー１６とから構成される。前面カバー１４の前面には、段差部１４ａが設けられている。そして、この段差部１４ａには、撮影レンズ（図示せず）を保持するレンズ鏡筒１８が設けられるとともに、スライドカバー２０が取り付けられている。
【００１３】
スライドカバー２０は、レンズ鏡筒１８を隠す不使用位置（図示せず）と、レンズ鏡筒１８を露出される使用位置（図１参照）との間でスライド移動自在に段差部１４ａに取り付けられている。このスライドカバー２０の前面には、スライドカバー２０が使用位置にあるときにストロボ発光部２２を露出させる開口窓２０ａが形成されている。
【００１４】
また、このスライドカバー２０は、電源スイッチとして用いられる。スライドカバー２０が使用位置にあるときはデジタルカメラ１０の電源がＯＮされ、スライドカバー２０が使用位置から不使用位置に向けてスライドされるとデジタルカメラ１０の電源はＯＦＦされる。
【００１５】
背面カバー１６には、液晶表示装置（以下、単にＬＣＤという）２４と、操作部２６とが設けられている。ＬＣＤ２４は、スルー画像、メモリカード（図示せず）等に記録されている画像、各種メニュー画面を表示する。操作部２６は、撮像レンズ（ズームレンズ）をワイド側、テレ側に変倍するズーム操作ボタン２８、ＬＣＤ２４にメニュー画面を表示させる際や選択内容を決定する際に操作される操作ボタン３０、メニュー画面内でカーソルを移動させる十字キー３２などから構成される。
【００１６】
筐体１２（前面カバー１４）の上面には、レリーズボタン３４などが設けられている。このレリーズボタン３４は、２段階押しのスイッチである。ＬＣＤ２４による被写体のフレーミングの後に、レリーズボタン３４が軽く押圧（半押し）されると、露出条件の決定（ＡＥ）、自動焦点調整（ＡＦ）などの各種撮影準備処理が施される。この状態でレリーズボタン３４がもう１度強く押圧（全押し）されると、決定された露出条件の下で一回の撮影が行われる。
【００１７】
筐体１２（背面カバー１６）の一方の側面１６ａには、後述するスピーカ３６（図３参照）から出力される音声を外部に出力するための放音孔３８が形成されている。なお、図示は省略するが、筐体１２の他方の側面には、動画記録時に音声を記録するための集音孔及びマイクが設けられているとともに、筐体１２の底面には、バッテリ挿入口やメモリカード挿入口を覆う底面カバーが設けられている。
【００１８】
図３に示すように、筐体１２内には、前面カバー１４から背面カバー１６に向かって回路基板４０、構造フレーム板４２、ＬＣＤ４４が順に設けられている。なお、図面の煩雑化を防止するため、レンズ鏡筒１８や撮像素子（ＣＣＤ）などの撮影機構、バッテリが収納される収納部、操作ボタン３０や十字キー３２などが配置された操作検知用基板などの各種部品は図示を省略している。
【００１９】
回路基板４０は、前面及び背面カバー１４，１６に略平行な平板状に形成されている。この回路基板４０には、図示は省略するが、例えば、デジタルカメラ１０の各部の動作を統括的に制御するＣＰＵ、制御プログラムが記憶されているＲＯＭ、作業メモリとなるＲＡＭ、撮像素子から出力される撮像信号に各種画像処理を施す画像処理回路、スピーカ駆動回路などが実装されている。そして、回路基板４０は、構造フレーム板４２の前面カバー１４側（以下、単に前面側という）に取り付けられている。
【００２０】
構造フレーム板４２は、回路基板４０に略平行な金属板であり、その外周は凹凸形状に形成されている。この構造フレーム板４２は、筐体１２内に図示しないネジ等を用いて固定される。そして、構造フレーム板４２の前面側には、上述したように回路基板４０が取り付けられるとともに、その背面カバー１６側（以下、単に背面側という）には、ＬＣＤ２４が取り付けられる。
【００２１】
また、構造フレーム板４２は、その外周に一体形成された突出片を前面側或いは背面側に屈曲したり、フレームの一部分を前面側或いは背面側に切り起こしたりすることで形成された複数の支持片４６を有している。そして、各支持片４６が、回路基板４０やＬＣＤ２４の外周に当接することで、両者をガタが生じることなく位置決めすることができる。
【００２２】
スピーカ３６は、動画撮影時に記録された音声などを再生するためのものである。このスピーカ３６は、回路基板４０にリード線４８で接続されており、回路基板４０上のスピーカ駆動回路（図示せず）により駆動される。図４に示すように、スピーカ３６は、ネジ等を用いることなく、筐体１２の側面（側壁部）１６ａの内壁面１６ｂ上に固定される。より具体的には、スピーカ３６は、内壁面１６ｂ上のスピーカ固定位置（放音孔３８の開口位置）に固定される。この際に、本実施形態のスピーカ固定位置には、スピーカ位置決め用の位置決め部４９が一体に形成されている。
【００２３】
位置決め部４９は、スピーカ３６の前面の凸部３６ａが嵌合し、且つ上述の放音孔３８に連通した嵌合孔４９ａを有している。従って、本実施形態では、スピーカ３６は、その凸部３６ａが嵌合孔４９ａに嵌合されて位置決めされた状態で、スピーカ固定位置に固定される。以下、図４〜図６を用いて、本発明のスピーカ３６の固定構造について詳しく説明を行う。なお、各図中では、図面の煩雑化を防止するために、ＬＣＤ２４、回路基板４０、構造フレーム板４２は簡略化して表示している。
【００２４】
本実施形態では、構造フレーム板４２の内壁面１６ｂに対向する側の端部４２ａが、位置決め部４９にセットされたスピーカ３６の側面に略対向する位置まで延びている（図４参照）。そして、この構造フレーム板４２の端部４２ａに、スピーカ３６の背面３６ｂを押圧する略長板状の板バネ５０が一体形成されている（図５参照）。なお、図４中の符号５１は、ＬＣＤ２４の表示画面を露出させるための開口部であり、符号５２は、ＬＣＤ２４の表示画面を保護する保護カバーである。
【００２５】
板バネ５０を一体形成する方法は各種方法を用いてよい。例えば、構造フレーム板４２をプレス加工等で形成する際に、その端部４２ａに構造フレーム板４２に平行な長板状の突出片を一体形成して、この突出片をスピーカ３６側に屈曲させることで、略長板状の板バネ５０を一体形成することができる（図５参照）。この板バネ５０は、構造フレーム板４２が筐体１２内に固定された時に、上述のスピーカ固定位置とほぼ同じ高さに位置し、さらに、バネ先端部が前面カバー１４の近傍まで延びるように形成されている（図６参照）。
【００２６】
上述の形状・形成位置の板バネ５０を構造フレーム板４２と一体形成することで、スピーカ３６を位置決め部４９にセットしたときに、板バネ５０がスピーカ３６の背面３６ｂにより押圧されて、内壁面１６ｂから遠ざかる方向に弾性変形される。これにより、逆に板バネ５０が弾性変形量に応じたバネ力でスピーカ３６の背面３６ｂを押圧する（図４及び図６参照）。その結果、スピーカ３６は、板バネ５０の押圧によって内壁面１６ｂに押し付けられて固定される。
【００２７】
次に、スピーカ３６を接地させる接地構造について説明を行う。スピーカ３６は、周知のように、振動板（図示せず）により空気を振動させることで音声を出力する。このため、スピーカ３６は、振動板或いはスピーカ自体の振動により静電気を帯びやすいという問題がある。また、特にスピーカ３６のフレームが金属材料で形成されている場合には、静電気を帯びた使用者の指を放音孔３８に近づけたときに、指を介して静電気がスピーカ３６に流れるおそれがある。このように、スピーカ３６が静電気を帯びたり、指を介してスピーカ３６に静電気が流れたりすると、静電気がリード線３８を介して回路基板４０に流れて、回路基板４０に実装されている電子部品が故障或いは誤作動するおそれがある。
【００２８】
そこで、図４、図７、図８に示すように、本実施形態では、上述の金属材料（導電性材料）で形成された構造フレーム板４２及び板バネ５０を介して、スピーカ３６を回路基板４０に接地させる。
【００２９】
具体的には、回路基板４０の構造フレーム板４２に対向する背面４０ａにグランド端子（接地端子）５６を形成する。このグランド端子５６としては、回路基板４０の背面４０ａ側に形成されたグランド配線パターン（図示せず）が用いられる。このグランド配線パターンはソルダーレジスト層５８（図７参照）で覆われている。従って、このレジスト層５８に開口窓５８ａを形成することで、グランド配線パターンの開口窓５８ａより露出される部分がグランド端子５６となる（図７参照）。
【００３０】
また、構造フレーム板４２のグランド端子５６と対向する部分には、このグランド端子５６に当接する接点端子部６０が形成されている（図４及び図８参照）。本実施形態では図示は省略しているが、回路基板４０の背面４０ａには各種電子部品が実装されているため、回路基板４０と構造フレーム板４２との間にはスペースが設けられている。このため、本実施形態では、接点端子部６０を略Ｌ字形状に形成している。
【００３１】
上述の接点端子部６０を形成する方法は、各種方法を用いてよい。例えば、構造フレーム板４２のクランド端子５６と対向する部分に、略コ字形状（略Ｕ字形状でも可）の切り込み部６２（図８参照）を形成する。これにより、一端部のみが構造フレーム板４２の他の部分と一体化されている切片部が形成される。次いで、この切片部を構造フレーム板４２（グランド端子５６）側に略９０°屈曲させる。つまり、この切片部は、構造フレーム板４２のクランド端子５６と対向する部分をグランド端子５６側に切り起こして形成される。そして、切片部の先端部がグランド端子５６に当接するように、切片部の先端部をさらに略９０°屈曲させることで、略Ｌ字形状の接点端子部６０が形成される（図８参照）。
【００３２】
このように本実施形態では、構造フレーム板４２の一部を切り起こして形成された接点端子部６０を回路基板４０のグランド端子５６に当接させることで、構造フレーム板４２及び板バネ５０が接点端子部６０を介してグランド端子５６（回路基板４０）に接地される。上述したように、スピーカ３６の背面３６ｂには板バネ５０が当接しているため、スピーカ３６は、板バネ５０、構造フレーム板４２、及び接点端子部６０を介してグランド端子５６に接地される（図４参照）。なお、構造フレーム板４２は、複数箇所で回路基板４０に接地されていてもよい。
【００３３】
以上のように、本実施形態では、構造フレーム板４２に板バネ５０を一体形成する、つまり、構造フレーム板４２に板バネ構造を持たせることで、スピーカ３６をネジ止めすることなく筐体１２の内壁面１６ｂに固定することができる。その結果、ネジやネジ止め作業が不要になるため、従来よりも部品数及び組立工程数を減らすことができる。これにより、デジタルカメラ１０の製造コストを抑えることができる。また、構造フレーム板４２に板バネ構造を持たせた場合には、スピーカの形状に合わせて板バネの形状や形成位置を変えることで、どのような形状のスピーカでも固定することができる。その結果、汎用スピーカを使用することができるので、同様にデジタルカメラ１０の製造コストを抑えることができる。
【００３４】
また、板バネ５０、構造フレーム板４２、及び接点端子部６０を介して、スピーカ３６をグランド端子５６（回路基板４０）に接地させるようにしたので、スピーカ３６からリード線３８を介して回路基板４０に静電気が流れて、この回路基板４０に実装されている電子部品が故障或いは誤作動することが防止される。また、構造フレーム板４２の一部を切り起こして接点端子部６０を形成しているので、デジタルカメラ１０の部品数を増やすことなくスピーカ３６及び構造フレーム板４２を接地させることができる。
【００３５】
なお、上記実施形態では、位置決め部４９にセットされたスピーカ３６の背面３６ｂを板バネ５０により押圧して固定する場合を例に挙げて説明を行ったが、本発明はこれに限定されるものではない。例えば、図９及び図１０に示すデジタルカメラ６１のように、スピーカホルダ６２に保持されているスピーカ３６の背面３６ｂを板バネ５０により押圧して固定するようにしてもよい。
【００３６】
スピーカホルダ６２は、上述の位置決め部４９と同様に、スピーカ３６の位置決めを行うためのものである。このスピーカホルダ６２は、平板状のベース６３と、ベース６３上に設けられた２本の保持爪６４と、ベース６３に形成された位置決め用スリット６６とから構成される。
【００３７】
保持爪６４は、ベース６３との間にスピーカ３６を弾性的に挟持して、スピーカ３６をベース６３上に保持する。なお、ベース６３には、このベース６３上に保持されているスピーカ３６に対向する位置に放音孔６３ａが形成されている（図１０参照）。
【００３８】
位置決め用スリット６６には、筐体１２の内壁面１６ｂに設けられた位置決めピン６８（図９参照）が係合される。この位置決め用スリット６６は一端が外部に開いている。そして、位置決め用スリット６６の他端に位置決めピン６８が当接した時に、保持されているスピーカ３６が上述のスピーカ固定位置に位置決めされるように、位置決め用スリット６６の形状・形成位置と、位置決めピン６８の形成位置とが調整されている。
【００３９】
スピーカホルダ６２のセット作業は、スピーカホルダ６２にスピーカ３６を取り付けた後、このスピーカホルダ６２を、その位置決め用スリット６６の他端に位置決めピン６８が当接するように内壁面１６ｂにセットするだけよい。従って、上述の位置決め部４９（図４参照）の代わりにスピーカホルダ６２を用いた場合でも、スピーカ３６の位置決めを容易に行うことができる。
【００４０】
この場合には、板バネ５０がスピーカ３６の背面３６ｂを押圧することで、スピーカ３６及びスピーカホルダ６２が一体に内壁面１６ｂに押し付けられて固定される。これにより、スピーカ３６またはスピーカホルダ６２を筐体１２の内壁面１６ｂにネジ止めすることなく、両者を一体に内壁面１６ｂに固定することができる。また、スピーカ３６やスピーカホルダ６２の形状に関わり無く、両者の固定を行うことができる。
【００４１】
なお、上記実施形態では、組立時にスピーカ３６の位置決めを行うために、位置決め部４９を形成したり、スピーカ３６をスピーカホルダ６２に取り付けたりしているが、本発明はこれに限定されるものではない。例えば、スピーカ３６を筐体１２の内壁面１６ｂ（スピーカ固定位置）に直接当接させた状態で、板バネ５０によりスピーカ３６の背面３６ｂを押圧させるようにしてもよい。
【００４２】
この場合には、組立時にスピーカ３６の位置決めに手間が掛かるという問題が生じる。また、例えばデジタルカメラを落とした時の衝撃でスピーカ３６の位置がずれるおそれがある。従って、上述の位置決め部４９やスピーカホルダ６２を用いてスピーカ３６を固定することが好ましい。
【００４３】
また、上記実施形態のように位置決め部４９やスピーカホルダ６２を用いてスピーカ３６の位置決めを行う代わりに、板バネ自体にスピーカ３６を位置決めしつつ保持可能なホルダ構造を持たせるようにしてもよい。この場合には、例えば、板バネをスピーカ３６よりも幅広に形成するとともに、この板バネの一部を切り起こしてスピーカ３６を板バネの他の部分との間に挟持する保持爪を形成すればよい。また、板バネにスピーカ３６の後面の凸部が嵌合する嵌合孔を形成してもよい。
【００４４】
なお、上記実施形態では、板バネ５０は略長板状に形成されているが、本発明はこれに限定されるものではなく、スピーカ３６の背面３６ｂを押圧可能であれば、その形状は特に限定されない。また、接点端子部６０の形状も特にＬ字形状には限定されず、回路基板４０のグランド端子５６に当接可能であれば、その形状は特に限定されない。また、構造フレーム板４２の形状も平板状に限定はされず、例えば枠形状に形成されていてもよい。
【００４５】
また、上記実施形態では、スピーカ３６を回路基板４０（グランド端子５６）に接地させるようにしているが、本発明はこれに限定されるものではない。例えば、筐体１２またはその一部が金属材料で形成されている場合には、構造フレーム板４２に筐体１２の金属部分に当接する接点端子部を一体形成することで、スピーカ３６を筐体１２に接地させるようにしてもよい。
【００４６】
なお、上記実施形態では、スピーカ３６を筐体側面の内壁面１６ｂに固定するようにしているが、本発明はこれに限定されるものではなく、スピーカ３６が筐体１２の前面、上面、底面、背面の各内壁面に固定される場合でも、同様に本発明を適用することができる。この場合には、スピーカ固定位置に応じて、構造フレーム板４２に一体形成される板バネの形成位置・形状を変えればよい。
【００４７】
また、上記実施形態では、図示は省略されているが、デジタルカメラ１０の筐体１２の内壁面には、集音用のマイクも固定される。従って、マイクもスピーカ３６と同様に、構造フレーム板４２に一体形成された板バネにより筐体１２の内壁面に押し付けて固定してもよい。さらに、スピーカやマイク以外の筐体内壁面に固定される各種部品（例えばストロボ発光部２２など）も同様に、構造フレーム板４２に一体形成された板バネにより固定するようにしてもよい。このように、構造フレーム４２に一体形成された板バネにより固定可能な部品数が増えるほど、部品のネジ止め作業を減らすことができるので、デジタルカメラの部品数及び組立工程数をより減らすことができる。
【００４８】
なお、上記実施形態では、デジタルカメラを例に挙げて説明を行ったが、本発明はこれに限定されるものではなく、携帯電話機、ＰＤＡ、パーソナルコンピュータ等の筐体にスピーカが内蔵されている各種電子機器に本発明を適用することができる。
【図面の簡単な説明】
【００４９】
【図１】デジタルカメラの正面斜視図である。
【図２】デジタルカメラの背面図である。
【図３】デジタルカメラの分解斜視図である。
【図４】図２中のＩＶ−ＩＶ線に沿う断面図である。
【図５】構造フレームに一体形成された板バネを拡大して表示した拡大図である。
【図６】図２中のＶＩ−ＶＩ線に沿う断面図である。
【図７】回路基板のグランド端子を構造フレーム側から見た拡大図である。
【図８】構造フレームに一体形成された接点端子部を回路基板側から見た拡大図である。
【図９】スピーカをスピーカホルダに取り付けた他の実施形態のデジタルカメラの断面図である。
【図１０】図９中のＸ−Ｘ線に沿う断面図である。
【符号の説明】
【００５０】
１０  デジタルカメラ
１２  筐体
１４  前面カバー
１６  背面カバー
１６ａ  側面
１６ｂ  内壁面
２４  液晶表示装置（ＬＣＤ）
３６  スピーカ
３６ｂ  背面
３８  放音孔
４０  回路基板
４０ａ  背面
４２  構造フレーム板
４９  位置決め部
５０  板バネ
５６  グランド端子
６０  接点端子部
６２  スピーカホルダ
【図１】
2008135961.tif 000003
【図２】
2008135961.tif 000004
【図３】
2008135961.tif 000005
【図４】
2008135961.tif 000006
【図５】
2008135961.tif 000007
【図６】
2008135961.tif 000008
【図７】
2008135961.tif 000009
【図８】
2008135961.tif 000010
【図９】
2008135961.tif 000011
【図１０】
2008135961.tif 000012